(57)【特許請求の範囲】
【請求項１】
受信機において受信後一旦メモリ上に取り込まれた後で再生される放送データを、カルーセル方式で繰り返し放送するデータ放送装置であって、
第１放送データ、及び、第２放送データを記録している記録手段と、
受信機において前記第１放送データの再生を禁止すべきであることを意味する禁止事象を検出する検出手段と、
記録手段に記録されている第１放送データと、記録手段に記録されている第２放送データとを繰り返し放送し、検出手段により前記禁止事象が検出された場合に、当該第１放送データの放送を中断する放送手段と、
受信機に対して、前記第１放送データの放送が中断した時に当該第１放送データの再生をやめさせて前記第２放送データを再生させる切り替え指示を、放送手段に放送させる指示手段とを備え、
前記放送手段は、前記検出手段により前記禁止事象が検出された場合に、当該第１放送データに対応する空カルーセルを放送し、
前記切り替え指示は、受信機が前記第１放送データに対応する空カルーセルを受信した時に、当該第１放送データの再生をやめて前記第２放送データを再生する手順を、当該受信機に指示するものであり、
前記指示手段は、前記検出手段により前記禁止事象が検出されるのを待たずに、前記切り替え指示を前記放送手段に放送させ、前記手順を受信機に予め指示しておく
ことを特徴とするデータ放送装置。
【請求項２】
受信機において受信後一旦メモリ上に取り込まれた後で再生される放送データを、カルーセル方式で繰り返し放送するデータ放送装置であって、
第１放送データ、及び、第２放送データを記録している記録手段と、
受信機において前記第１放送データの再生を禁止すべきであることを意味する禁止事象を検出する検出手段と、
記録手段に記録されている第１放送データと、記録手段に記録されている第２放送データとを繰り返し放送し、検出手段により前記禁止事象が検出された場合に、当該第１放送データの放送を中断する放送手段と、
受信機に対して、前記第１放送データの放送が中断した時に当該第１放送データの再生をやめさせて前記第２放送データを再生させる切り替え指示を、放送手段に放送させる指示手段とを備え、
前記検出手段は、前記禁止事象を検出した後に、禁止を解除すべきであることを意味する解除事象を検出し、
前記放送手段は、前記検出手段により前記解除事象が検出された場合に、前記第１放送データの放送を再開し、
前記指示手段は、さらに、受信機に対して、前記第１放送データの放送が再開された時に前記第２放送データの再生をやめさせて当該第１放送データを再生させる戻り指示を、前記放送手段に放送させ、
前記放送手段は、前記検出手段により前記禁止事象が検出された場合に、当該第１放送データの代わりに空カルーセルを放送し、前記検出手段により前記解除事象が検出された場合に、当該空カルーセルの代わりに当該第１放送データを放送し、
前記戻り指示は、受信機が前記第１放送データの代わりに放送されていた空カルーセルが受信されなくなった時に前記第２放送データの再生をやめて当該第１放送データを再生する手順を、当該受信機に指示するものであり、
前記指示手段は、前記検出手段により前記解除事象が検出されるのを待たずに、前記戻り指示を前記放送手段に放送させ、前記手順を受信機に予め指示しておく
ことを特徴とするデータ放送装置。
【請求項３】
受信機において受信後一旦メモリ上に取り込まれた後で再生される放送データを、カルーセル方式で繰り返し放送するデータ放送装置であって、
第１放送データ、及び、第２放送データを記録している記録手段と、
受信機において前記第１放送データの再生を禁止すべきであることを意味する禁止事象を検出する検出手段と、
記録手段に記録されている第１放送データと、記録手段に記録されている第２放送データとを繰り返し放送し、検出手段により前記禁止事象が検出された場合に、当該第１放送データの放送を中断する放送手段と、
受信機に対して、前記第１放送データの放送が中断した時に前記第２放送データの再生中に当該第２放送データの再生をやめて前記第１放送データを再生することを禁止する切り替え禁止指示を、放送手段に放送させる指示手段とを備え、
前記放送手段は、前記検出手段により前記禁止事象が検出された場合に、当該第１放送データの代わりに空カルーセルを放送し、
前記切り替え禁止指示は、受信機が前記第１放送データの代わりに空カルーセルを受信した時に当該第２放送データの再生をやめて前記第１放送データを再生することを禁止する手順を、当該受信機に指示するものであり、
前記指示手段は、前記検出手段により前記禁止事象が検出されるのを待たずに、前記切り替え禁止指示を前記放送手段に放送させ、前記手順を受信機に予め指示しておく
ことを特徴とするデータ放送装置。
【請求項４】
番組データを継続的に放送し、受信機において受信後一旦メモリ上に取り込まれた後で再生される付加データを、カルーセル方式で繰り返し放送するデータ放送装置であって、
定常的に放送すべき番組データである定常番組データと、当該定常番組データに関連する付加データである関連データと、当該定常データと関連しない付加データである非関連データとを記録している記録手段と、
受信機において前記定常番組データよりも優先的に再生すべき優先番組データを入手する入手手段と、
記録手段に記録されている定常番組データを継続的に放送し、記録手段に記録されている関連データと、非関連データとを繰り返し放送し、入手手段により前記優先番組データが入手された場合に、当該定常番組データの放送を中断して、代わりに当該優先番組データを放送する放送手段と、
受信機に対して、前記定常番組データの放送が中断した時に前記関連データの再生をやめさせて前記非関連データを再生させる切り替え指示を、放送手段に放送させる指示手段とを備え、
前記放送手段は、前記入手手段により前記優先番組データが入手された場合に、前記関連データの放送を中断して代わりに空カルーセルを放送し、
前記切り替え指示は、受信機が前記関連データの代わりに空カルーセルを受信した時に前記関連データの再生をやめて前記非関連データを再生する手順を、当該受信機に指示するものであり、
前記指示手段は、前記入手手段により前記優先番組データが入手されるのを待たずに、前記切り替え指示を前記放送手段に放送させ、前記手順を受信機に予め指示しておく
ことを特徴とするデータ放送装置。
【請求項５】
番組データを継続的に放送し、受信機において受信後一旦メモリ上に取り込まれた後で再生される付加データを、カルーセル方式で繰り返し放送するデータ放送装置であって、
定常的に放送すべき番組データである定常番組データと、当該定常番組データに関連する付加データである関連データと、当該定常データと関連しない付加データである非関連データとを記録している記録手段と、
受信機において前記定常番組データよりも優先的に再生すべき優先番組データを入手する入手手段と、
記録手段に記録されている定常番組データを継続的に放送し、記録手段に記録されている関連データと、非関連データとを繰り返し放送し、入手手段により前記優先番組データが入手された場合に、当該定常番組データの放送を中断して、代わりに当該優先番組データを放送する放送手段と、
受信機に対して、前記定常番組データの放送が中断した時に前記関連データの再生をやめさせて前記非関連データを再生させる切り替え指示を、放送手段に放送させる指示手段とを備え、
前記放送手段は、前記優先番組データの放送が終了した場合に、前記定常番組データの放送を再開し、
前記指示手段は、さらに、受信機に対して、前記定常番組データの放送が再開された時に前記非関連データの再生をやめさせて前記関連データを再生させる戻り指示を、前記放送手段に放送させ、
前記放送手段は、前記入手手段により前記優先番組データが入手された場合に、前記関連データの放送を中断して代わりに空カルーセルを放送し、当該優先番組データの放送が終了した場合に、当該空カルーセルの代わりに当該関連データを放送し、
前記戻り指示は、受信機が前記関連データの代わりに放送されていた空カルーセルが受信されなくなった時に前記非関連データの再生をやめて前記関連データを再生する手順を、当該受信機に指示するものであり、
前記指示手段は、前記優先番組データの放送が終了するのを待たずに、前記戻り指示を前記放送手段に放送させ、前記手順を受信機に予め指示しておく
ことを特徴とするデータ放送装置。
【請求項６】
番組データを継続的に放送し、受信機において受信後一旦メモリ上に取り込まれた後で再生される付加データを、カルーセル方式で繰り返し放送するデータ放送装置であって、
定常的に放送すべき番組データである定常番組データと、当該定常番組データに関連する付加データである関連データと、当該定常データと関連しない付加データである非関連データとを記録している記録手段と、
受信機において前記定常番組データよりも優先的に再生すべき優先番組データを入手する入手手段と、
記録手段に記録されている定常番組データを継続的に放送し、記録手段に記録されている関連データと、非関連データとを繰り返し放送し、入手手段により前記優先番組データが入手された場合に、当該定常番組データの放送を中断して、代わりに当該優先番組データを放送する放送手段と、
受信機に対して、前記定常番組データの放送が中断した時に前記非関連データの再生中に当該非関連データの再生をやめて前記関連データを再生することを禁止する切り替え禁止指示を、放送手段に放送させる指示手段とを備え、
前記放送手段は、前記入手手段により前記優先番組データが入手された場合に、前記関連データの放送を中断して代わりに空カルーセルを放送し、
前記切り替え禁止指示は、受信機が前記関連データの代わりに空カルーセルを受信した時に前記非関連データの再生中に当該非関連データの再生をやめて前記関連データを再生することを禁止する手順を、当該受信機に指示するものであり、
前記指示手段は、前記入手手段により前記優先番組データが入手されるのを待たずに、前記切り替え禁止指示を前記放送手段に放送させ、前記手順を受信機に予め指示しておく
ことを特徴とするデータ放送装置。
【請求項７】
受信機において受信後一旦メモリ上に取り込まれた後で再生される放送データを、カルーセル方式で繰り返し放送し、第１放送データ、及び、第２放送データを記録している記録手段を備えるデータ放送装置で用いられるコンピュータプログラムであって、
コンピュータに、
受信機において前記第１放送データの再生を禁止すべきであることを意味する禁止事象を検出する検出ステップと、
記録手段に記録されている第１放送データと、記録手段に記録されている第２放送データとを繰り返し放送し、検出ステップにより前記禁止事象が検出された場合に、当該第１放送データの放送を中断する放送ステップと、
受信機に対して、前記第１放送データの放送が中断した時に当該第１放送データの再生をやめさせて前記第２放送データを再生させる切り替え指示を、放送ステップに放送させる指示ステップとを実行させ、
前記放送ステップは、前記検出ステップにより前記禁止事象が検出された場合に、当該第１放送データに対応する空カルーセルを放送し、
前記切り替え指示は、受信機が前記第１放送データに対応する空カルーセルを受信した時に、当該第１放送データの再生をやめて前記第２放送データを再生する手順を、当該受信機に指示するものであり、
前記指示ステップは、前記検出ステップにより前記禁止事象が検出されるのを待たずに、前記切り替え指示を前記放送ステップに放送させ、前記手順を受信機に予め指示しておく
ことを特徴とするコンピュータプログラム。
【請求項８】
受信機において受信後一旦メモリ上に取り込まれた後で再生される放送データを、カルーセル方式で繰り返し放送し、第１放送データ、及び、第２放送データを記録している記録手段を備えるデータ放送装置で用いられるコンピュータプログラムであって、
コンピュータに、
受信機において前記第１放送データの再生を禁止すべきであることを意味する禁止事象を検出する検出ステップと、
記録手段に記録されている第１放送データと、記録手段に記録されている第２放送データとを繰り返し放送し、検出ステップにより前記禁止事象が検出された場合に、当該第１放送データの放送を中断する放送ステップと、
受信機に対して、前記第１放送データの放送が中断した時に当該第１放送データの再生をやめさせて前記第２放送データを再生させる切り替え指示を、放送ステップに放送させる指示ステップとを実行させ、
前記検出ステップは、前記禁止事象を検出した後に、禁止を解除すべきであることを意味する解除事象を検出し、
前記放送ステップは、前記検出ステップにより前記解除事象が検出された場合に、前記第１放送データの放送を再開し、
前記指示ステップは、さらに、受信機に対して、前記第１放送データの放送が再開された時に前記第２放送データの再生をやめさせて当該第１放送データを再生させる戻り指示を、前記放送ステップに放送させ、
前記放送ステップは、前記検出ステップにより前記禁止事象が検出された場合に、当該第１放送データの代わりに空カルーセルを放送し、前記検出ステップにより前記解除事象が検出された場合に、当該空カルーセルの代わりに当該第１放送データを放送し、
前記戻り指示は、受信機が前記第１放送データの代わりに放送されていた空カルーセルが受信されなくなった時に前記第２放送データの再生をやめて当該第１放送データを再生する手順を、当該受信機に指示するものであり、
前記指示ステップは、前記検出ステップにより前記解除事象が検出されるのを待たずに、前記戻り指示を前記放送ステップに放送させ、前記手順を受信機に予め指示しておく
ことを特徴とするコンピュータプログラム。
【請求項９】
受信機において受信後一旦メモリ上に取り込まれた後で再生される放送データを、カルーセル方式で繰り返し放送し、第１放送データ、及び、第２放送データを記録している記録手段を備えるデータ放送装置で用いられるコンピュータプログラムであって、
コンピュータに、
受信機において前記第１放送データの再生を禁止すべきであることを意味する禁止事象を検出する検出ステップと、
記録手段に記録されている第１放送データと、記録手段に記録されている第２放送データとを繰り返し放送し、検出ステップにより前記禁止事象が検出された場合に、当該第１放送データの放送を中断する放送ステップと、
受信機に対して、前記第１放送データの放送が中断した時に前記第２放送データの再生中に当該第２放送データの再生をやめて前記第１放送データを再生することを禁止する切り替え禁止指示を、放送ステップに放送させる指示ステップとを実行させ、
前記放送ステップは、前記検出ステップにより前記禁止事象が検出された場合に、当該第１放送データの代わりに空カルーセルを放送し、
前記切り替え禁止指示は、受信機が前記第１放送データの代わりに空カルーセルを受信した時に当該第２放送データの再生をやめて前記第１放送データを再生することを禁止する手順を、当該受信機に指示するものであり、
前記指示ステップは、前記検出ステップにより前記禁止事象が検出されるのを待たずに、前記切り替え禁止指示を前記放送ステップに放送させ、前記手順を受信機に予め指示しておく
ことを特徴とするコンピュータプログラム。
【請求項１０】
番組データを継続的に放送し、受信機において受信後一旦メモリ上に取り込まれた後で再生される付加データを、カルーセル方式で繰り返し放送し、定常的に放送すべき番組データである定常番組データと、当該定常番組データに関連する付加データである関連データと、当該定常データと関連しない付加データである非関連データとを記録している記録手段を備えるデータ放送装置で用いられるコンピュータプログラムであって、
コンピュータに、
受信機において前記定常番組データよりも優先的に再生すべき優先番組データを入手する入手ステップと、
記録手段に記録されている定常番組データを継続的に放送し、記録手段に記録されている関連データと、非関連データとを繰り返し放送し、入手ステップにより前記優先番組データが入手された場合に、当該定常番組データの放送を中断して、代わりに当該優先番組データを放送する放送ステップと、
受信機に対して、前記定常番組データの放送が中断した時に前記関連データの再生をやめさせて前記非関連データを再生させる切り替え指示を、放送ステップに放送させる指示ステップとを実行させ、
前記放送ステップは、前記入手ステップにより前記優先番組データが入手された場合に、前記関連データの放送を中断して代わりに空カルーセルを放送し、
前記切り替え指示は、受信機が前記関連データの代わりに空カルーセルを受信した時に前記関連データの再生をやめて前記非関連データを再生する手順を、当該受信機に指示するものであり、
前記指示ステップは、前記入手ステップにより前記優先番組データが入手されるのを待たずに、前記切り替え指示を前記放送ステップに放送させ、前記手順を受信機に予め指示しておく
ことを特徴とするコンピュータプログラム。
【請求項１１】
番組データを継続的に放送し、受信機において受信後一旦メモリ上に取り込まれた後で再生される付加データを、カルーセル方式で繰り返し放送し、定常的に放送すべき番組データである定常番組データと、当該定常番組データに関連する付加データである関連データと、当該定常データと関連しない付加データである非関連データとを記録している記録手段を備えるデータ放送装置で用いられるコンピュータプログラムであって、
コンピュータに、
受信機において前記定常番組データよりも優先的に再生すべき優先番組データを入手する入手ステップと、
記録手段に記録されている定常番組データを継続的に放送し、記録手段に記録されている関連データと、非関連データとを繰り返し放送し、入手ステップにより前記優先番組データが入手された場合に、当該定常番組データの放送を中断して、代わりに当該優先番組データを放送する放送ステップと、
受信機に対して、前記定常番組データの放送が中断した時に前記関連データの再生をやめさせて前記非関連データを再生させる切り替え指示を、放送ステップに放送させる指示ステップとを実行させ、
前記放送ステップは、前記優先番組データの放送が終了した場合に、前記定常番組データの放送を再開し、
前記指示ステップは、さらに、受信機に対して、前記定常番組データの放送が再開された時に前記非関連データの再生をやめさせて前記関連データを再生させる戻り指示を、前記放送ステップに放送させ、
前記放送ステップは、前記入手ステップにより前記優先番組データが入手された場合に、前記関連データの放送を中断して代わりに空カルーセルを放送し、当該優先番組データの放送が終了した場合に、当該空カルーセルの代わりに当該関連データを放送し、
前記戻り指示は、受信機が前記関連データの代わりに放送されていた空カルーセルが受信されなくなった時に前記非関連データの再生をやめて前記関連データを再生する手順を、当該受信機に指示するものであり、
前記指示ステップは、前記優先番組データの放送が終了するのを待たずに、前記戻り指示を前記放送ステップに放送させ、前記手順を受信機に予め指示しておく
ことを特徴とするコンピュータプログラム。
【請求項１２】
番組データを継続的に放送し、受信機において受信後一旦メモリ上に取り込まれた後で再生される付加データを、カルーセル方式で繰り返し放送し、定常的に放送すべき番組データである定常番組データと、当該定常番組データに関連する付加データである関連データと、当該定常データと関連しない付加データである非関連データとを記録している記録手段を備えるデータ放送装置で用いられるコンピュータプログラムであって、
コンピュータに、
受信機において前記定常番組データよりも優先的に再生すべき優先番組データを入手する入手ステップと、
記録手段に記録されている定常番組データを継続的に放送し、記録手段に記録されている関連データと、非関連データとを繰り返し放送し、入手ステップにより前記優先番組データが入手された場合に、当該定常番組データの放送を中断して、代わりに当該優先番組データを放送する放送ステップと、
受信機に対して、前記定常番組データの放送が中断した時に前記非関連データの再生中に当該非関連データの再生をやめて前記関連データを再生することを禁止する切り替え禁止指示を、放送ステップに放送させる指示ステップとを実行させ、
前記放送ステップは、前記入手ステップにより前記優先番組データが入手された場合に、前記関連データの放送を中断して代わりに空カルーセルを放送し、
前記切り替え禁止指示は、受信機が前記関連データの代わりに空カルーセルを受信した時に前記非関連データの再生中に当該非関連データの再生をやめて前記関連データを再生することを禁止する手順を、当該受信機に指示するものであり、
前記指示ステップは、前記入手ステップにより前記優先番組データが入手されるのを待たずに、前記切り替え禁止指示を前記放送ステップに放送させ、前記手順を受信機に予め指示しておく
ことを特徴とするコンピュータプログラム。
【請求項１３】
受信機において受信後一旦メモリ上に取り込まれた後で再生される放送データを、カルーセル方式で繰り返し放送し、第１放送データ、及び、第２放送データを記録している記録手段を備えるデータ放送装置で用いられる方法であって、
受信機において前記第１放送データの再生を禁止すべきであることを意味する禁止事象を検出する検出ステップと、
記録手段に記録されている第１放送データと、記録手段に記録されている第２放送データとを繰り返し放送し、検出ステップにより前記禁止事象が検出された場合に、当該第１放送データの放送を中断する放送ステップと、
受信機に対して、前記第１放送データの放送が中断した時に当該第１放送データの再生をやめさせて前記第２放送データを再生させる切り替え指示を、放送ステップに放送させる指示ステップとを含み、
前記放送ステップは、前記検出ステップにより前記禁止事象が検出された場合に、当該第１放送データに対応する空カルーセルを放送し、
前記切り替え指示は、受信機が前記第１放送データに対応する空カルーセルを受信した時に、当該第１放送データの再生をやめて前記第２放送データを再生する手順を、当該受信機に指示するものであり、
前記指示ステップは、前記検出ステップにより前記禁止事象が検出されるのを待たずに、前記切り替え指示を前記放送ステップに放送させ、前記手順を受信機に予め指示しておく
ことを特徴とする方法。
【請求項１４】
受信機において受信後一旦メモリ上に取り込まれた後で再生される放送データを、カルーセル方式で繰り返し放送し、第１放送データ、及び、第２放送データを記録している記録手段を備えるデータ放送装置で用いられる方法であって、
受信機において前記第１放送データの再生を禁止すべきであることを意味する禁止事象を検出する検出ステップと、
記録手段に記録されている第１放送データと、記録手段に記録されている第２放送データとを繰り返し放送し、検出ステップにより前記禁止事象が検出された場合に、当該第１放送データの放送を中断する放送ステップと、
受信機に対して、前記第１放送データの放送が中断した時に当該第１放送データの再生をやめさせて前記第２放送データを再生させる切り替え指示を、放送ステップに放送させる指示ステップとを含み、
前記検出ステップは、前記禁止事象を検出した後に、禁止を解除すべきであることを意味する解除事象を検出し、
前記放送ステップは、前記検出ステップにより前記解除事象が検出された場合に、前記第１放送データの放送を再開し、
前記指示ステップは、さらに、受信機に対して、前記第１放送データの放送が再開された時に前記第２放送データの再生をやめさせて当該第１放送データを再生させる戻り指示を、前記放送ステップに放送させ、
前記放送ステップは、前記検出ステップにより前記禁止事象が検出された場合に、当該第１放送データの代わりに空カルーセルを放送し、前記検出ステップにより前記解除事象が検出された場合に、当該空カルーセルの代わりに当該第１放送データを放送し、
前記戻り指示は、受信機が前記第１放送データの代わりに放送されていた空カルーセルが受信されなくなった時に前記第２放送データの再生をやめて当該第１放送データを再生する手順を、当該受信機に指示するものであり、
前記指示ステップは、前記検出ステップにより前記解除事象が検出されるのを待たずに、前記戻り指示を前記放送ステップに放送させ、前記手順を受信機に予め指示しておく
ことを特徴とする方法。
【請求項１５】
受信機において受信後一旦メモリ上に取り込まれた後で再生される放送データを、カルーセル方式で繰り返し放送し、第１放送データ、及び、第２放送データを記録している記録手段を備えるデータ放送装置で用いられる方法であって、
受信機において前記第１放送データの再生を禁止すべきであることを意味する禁止事象を検出する検出ステップと、
記録手段に記録されている第１放送データと、記録手段に記録されている第２放送データとを繰り返し放送し、検出ステップにより前記禁止事象が検出された場合に、当該第１放送データの放送を中断する放送ステップと、
受信機に対して、前記第１放送データの放送が中断した時に前記第２放送データの再生中に当該第２放送データの再生をやめて前記第１放送データを再生することを禁止する切り替え禁止指示を、放送ステップに放送させる指示ステップとを含み、
前記放送ステップは、前記検出ステップにより前記禁止事象が検出された場合に、当該第１放送データの代わりに空カルーセルを放送し、
前記切り替え禁止指示は、受信機が前記第１放送データの代わりに空カルーセルを受信した時に当該第２放送データの再生をやめて前記第１放送データを再生することを禁止する手順を、当該受信機に指示するものであり、
前記指示ステップは、前記検出ステップにより前記禁止事象が検出されるのを待たずに、前記切り替え禁止指示を前記放送ステップに放送させ、前記手順を受信機に予め指示しておく
ことを特徴とする方法。
【請求項１６】
番組データを継続的に放送し、受信機において受信後一旦メモリ上に取り込まれた後で再生される付加データを、カルーセル方式で繰り返し放送し、定常的に放送すべき番組データである定常番組データと、当該定常番組データに関連する付加データである関連データと、当該定常データと関連しない付加データである非関連データとを記録している記録手段を備えるデータ放送装置で用いられる方法であって、
受信機において前記定常番組データよりも優先的に再生すべき優先番組データを入手する入手ステップと、
記録手段に記録されている定常番組データを継続的に放送し、記録手段に記録されている関連データと、非関連データとを繰り返し放送し、入手ステップにより前記優先番組データが入手された場合に、当該定常番組データの放送を中断して、代わりに当該優先番組データを放送する放送ステップと、
受信機に対して、前記定常番組データの放送が中断した時に前記関連データの再生をやめさせて前記非関連データを再生させる切り替え指示を、放送ステップに放送させる指示ステップとを含み、
前記放送ステップは、前記入手ステップにより前記優先番組データが入手された場合に、前記関連データの放送を中断して代わりに空カルーセルを放送し、
前記切り替え指示は、受信機が前記関連データの代わりに空カルーセルを受信した時に前記関連データの再生をやめて前記非関連データを再生する手順を、当該受信機に指示するものであり、
前記指示ステップは、前記入手ステップにより前記優先番組データが入手されるのを待たずに、前記切り替え指示を前記放送ステップに放送させ、前記手順を受信機に予め指示しておく
ことを特徴とする方法。
【請求項１７】
番組データを継続的に放送し、受信機において受信後一旦メモリ上に取り込まれた後で再生される付加データを、カルーセル方式で繰り返し放送し、定常的に放送すべき番組データである定常番組データと、当該定常番組データに関連する付加データである関連データと、当該定常データと関連しない付加データである非関連データとを記録している記録手段を備えるデータ放送装置で用いられる方法であって、
受信機において前記定常番組データよりも優先的に再生すべき優先番組データを入手する入手ステップと、
記録手段に記録されている定常番組データを継続的に放送し、記録手段に記録されている関連データと、非関連データとを繰り返し放送し、入手ステップにより前記優先番組データが入手された場合に、当該定常番組データの放送を中断して、代わりに当該優先番組データを放送する放送ステップと、
受信機に対して、前記定常番組データの放送が中断した時に前記関連データの再生をやめさせて前記非関連データを再生させる切り替え指示を、放送ステップに放送させる指示ステップとを含み、
前記放送ステップは、前記優先番組データの放送が終了した場合に、前記定常番組データの放送を再開し、
前記指示ステップは、さらに、受信機に対して、前記定常番組データの放送が再開された時に前記非関連データの再生をやめさせて前記関連データを再生させる戻り指示を、前記放送ステップに放送させ、
前記放送ステップは、前記入手ステップにより前記優先番組データが入手された場合に、前記関連データの放送を中断して代わりに空カルーセルを放送し、当該優先番組データの放送が終了した場合に、当該空カルーセルの代わりに当該関連データを放送し、
前記戻り指示は、受信機が前記関連データの代わりに放送されていた空カルーセルが受信されなくなった時に前記非関連データの再生をやめて前記関連データを再生する手順を、当該受信機に指示するものであり、
前記指示ステップは、前記優先番組データの放送が終了するのを待たずに、前記戻り指示を前記放送ステップに放送させ、前記手順を受信機に予め指示しておく
ことを特徴とする方法。
【請求項１８】
番組データを継続的に放送し、受信機において受信後一旦メモリ上に取り込まれた後で再生される付加データを、カルーセル方式で繰り返し放送し、定常的に放送すべき番組データである定常番組データと、当該定常番組データに関連する付加データである関連データと、当該定常データと関連しない付加データである非関連データとを記録している記録手段を備えるデータ放送装置で用いられる方法であって、
受信機において前記定常番組データよりも優先的に再生すべき優先番組データを入手する入手ステップと、
記録手段に記録されている定常番組データを継続的に放送し、記録手段に記録されている関連データと、非関連データとを繰り返し放送し、入手ステップにより前記優先番組データが入手された場合に、当該定常番組データの放送を中断して、代わりに当該優先番組データを放送する放送ステップと、
受信機に対して、前記定常番組データの放送が中断した時に前記非関連データの再生中に当該非関連データの再生をやめて前記関連データを再生することを禁止する切り替え禁止指示を、放送ステップに放送させる指示ステップとを含み、
前記放送ステップは、前記入手ステップにより前記優先番組データが入手された場合に、前記関連データの放送を中断して代わりに空カルーセルを放送し、
前記切り替え禁止指示は、受信機が前記関連データの代わりに空カルーセルを受信した時に前記非関連データの再生中に当該非関連データの再生をやめて前記関連データを再生することを禁止する手順を、当該受信機に指示するものであり、
前記指示ステップは、前記入手ステップにより前記優先番組データが入手されるのを待たずに、前記切り替え禁止指示を前記放送ステップに放送させ、前記手順を受信機に予め指示しておく
ことを特徴とする方法。
【発明の詳細な説明】
【０００１】
【発明の属する技術分野】
本発明は、ＴＶ番組用のデータとＴＶ番組に関連する付加データとを多重して放送するデータ放送装置に関し、特に、優先度の高いＴＶ番組の割り込みが発生した場合などに、当該関連する付加データの受信装置における取り扱いを制御する技術に関する。
【０００２】
【従来の技術】
近年、デジタル放送においては、映像、音声等の通常の番組データに、文字情報等の付加データが多重されて放送されている。
通常、多重される付加データは、例えば５〜１０秒程度の周期で、同じものあるいは更新されながら、番組データに繰り返し多重されて放送されている。
【０００３】
このようなデータ放送装置は、特開平１０−３１３４４９に開示されている。
付加データの放送方法に関しては、ＤＳＭ−ＣＣデータカルーセル方式(以下「カルーセル方式」と記す)という国際標準化されている繰り返し送出する方式が最も一般的である。なお詳細は、規格書「ＩＳＯ／ＩＥＣ １３８１８−６： Ｉｎｆｏｒｍａｔｉｏｎ Ｔｅｃｈｎｏｌｏｇｙ−Ｇｅｎｅｒｉｃ Ｃｏｄｉｎｇｏｆ Ｍｏｖｉｎｇ Ｐｉｃｔｕｒｅｓ ａｎｄ Ａｓｓｏｃｉａｔｅｄ Ａｕｄｉｏ： ＤＳＭ−ＣＣ」に記述されている）。カルーセル方式による付加データの放送は、日本においてはＢＳデジタル放送等で採用されている。なお詳細は、規格書「ＡＲＩＢ ＳＴＤ−Ｂ２４ デジタル放送におけるデータ放送符号化方式と伝送方式」に記述されている。
【０００４】
このような付加データを繰り返し送出する方式によれば、データ受信装置は付加データの必要な部分のみを順次受信して利用することができるので、データ受信装置は大容量のメモリを搭載しなくても膨大な情報を利用することができるという利点がある。
ここで、カルーセル方式により番組に関連する付加データなどを放送している時に、重大なニュース番組の割り込みが発生したり、当該付加データに不適切な内容が含まれていることが発覚したりすることにより、当該付加データの視聴者への提供を即座に中止させたい場合がある。
【０００５】
しかしながら、このような場合にデータ放送装置において当該付加データの放送を即座に止めたとしても、データ受信装置においては当該付加データの視聴者への提供が中止されるとは限らない。
なぜなら、データ放送装置から放送された付加データは、データ受信装置においてメモリ上に蓄積された後で再生されるので、付加データが受信できなくなった後でも、付加データはメモリ上に残っている限り提供され続けるからである。
【０００６】
また、付加データは他の付加データへリンクを張ることができ、視聴者は再生している付加データ中の他の付加データを示すボタン等をリモコン操作等により選択することで他の付加データにジャンプすることができる。なお詳細は、「ＡＲＩＢ ＳＴＤ−Ｂ２４ デジタル放送におけるデータ放送符号化方式と伝送方式」規格書に記述されている。
【０００７】
ここで放送を止めた付加データへリンクが張られているボタン等が別の付加データ中に存在したままであると、視聴者が当該ボタン等を選択した場合にデータ受信装置においてエラーが発生してしまう。
そこで、従来のデータ放送装置では、視聴者への提供を即座に中止させたい付加データの放送に代えて、「しばらくお待ち下さい」などのあまり意味のないメッセージを提示するだけのトラブルスライドと呼ばれる付加データを放送し、データ受信装置においてメモリ上に蓄積された付加データを更新させることにより、当該付加データの視聴者への提供を即座に中止させている（詳細な説明は、特願平１０−２６４６４７に記述されている）。
【０００８】
しかしながら、付加データの提供を即座に中止させたいがために、あまり意味のないメッセージを提示することは、視聴者にとっては甚だ迷惑な事であり、また、トラブルスライドを放送するための伝送帯域も無駄である。
本発明は、トラブルスライドなどの無意味な付加データを放送することなく、視聴者への付加データの提供を即座に停止することができるデータ放送装置、データ放送方法、データ放送プログラムを提供することを目的とする。
【０００９】
【課題を解決するための手段】
上記目的を達成するために、本発明に係るデータ放送装置は、受信機において受信後一旦メモリ上に取り込まれた後で再生される放送データをカルーセル方式で繰り返し放送するデータ放送装置であって、第１放送データ及び第２放送データを記録している記録手段と、受信機において前記第１放送データの再生を禁止すべきであることを意味する禁止事象を検出する検出手段と、記録手段に記録されている第１放送データと記録手段に記録されている第２放送データとを繰り返し放送し、検出手段により前記禁止事象が検出された場合に当該第１放送データの放送を中断する放送手段と、受信機に対して前記第１放送データの放送が中断した時に当該第１放送データの再生をやめさせて前記第２放送データを再生させる切り替え指示を放送手段に放送させる指示手段とを備える。
【００１０】
これによって、禁止事象を入手した場合に第１放送データの放送を中断するだけでなく、受信機に第１放送データの再生をやめさせて第２放送データを再生させる切り替え指示を放送することができる。
従って、無意味な放送データを放送することなく、視聴者への第１放送データの提供を即座に停止することができる。
【００１１】
上記目的を達成するために、本発明に係るデータ放送装置は、受信機において受信後一旦メモリ上に取り込まれた後で再生される放送データをカルーセル方式で繰り返し放送するデータ放送装置であって、第１放送データ及び第２放送データを記録している記録手段と、受信機において前記第１放送データの再生を禁止すべきであることを意味する禁止事象を検出する検出手段と、記録手段に記録されている第１放送データと記録手段に記録されている第２放送データとを繰り返し放送し、検出手段により前記禁止事象が検出された場合に当該第１放送データの放送を中断する放送手段と、受信機に対して前記第１放送データの放送が中断した時に前記第２放送データの再生中に当該第２放送データの再生をやめて前記第１放送データを再生することを禁止する切り替え禁止指示を放送手段に放送させる指示手段とを備える。
【００１２】
これによって、禁止事象を入手した場合に第１放送データの放送を中断するだけでなく、受信機において第２放送データの再生中に第２放送データの再生をやめて第１放送データを再生することを禁止する切り替え禁止指示を放送することができる。
従って、受信機においては、第２放送データから第１放送データへの再生の切り替えを即座に禁止することができる。
【００１３】
上記目的を達成するために、本発明に係るデータ放送装置は、番組データを継続的に放送し受信機において受信後一旦メモリ上に取り込まれた後で再生される付加データをカルーセル方式で繰り返し放送するデータ放送装置であって、定常的に放送すべき番組データである定常番組データと当該定常番組データに関連する付加データである関連データと当該定常データと関連しない付加データである非関連データとを記録している記録手段と、受信機において前記定常番組データよりも優先的に再生すべき優先番組データを入手する入手手段と、記録手段に記録されている定常番組データを継続的に放送し記録手段に記録されている関連データと非関連データとを繰り返し放送し、入手手段により前記優先番組データが入手された場合に当該定常番組データの放送を中断して代わりに当該優先番組データを放送する放送手段と、受信機に対して前記定常番組データの放送が中断した時に前記関連データの再生をやめさせて前記非関連データを再生させる切り替え指示を放送手段に放送させる指示手段とを備える。
【００１４】
これによって、優先番組データを入手した場合に、定常番組データの放送を中断して、代わりに優先番組データを放送するだけでなく、受信機に関連データの再生をやめさせて非関連データを再生させる切り替え指示を放送することができる。
従って、無意味な放送データを放送することなく、視聴者への関連データの提供を即座に停止することができる。
【００１５】
上記目的を達成するために、本発明に係るデータ放送装置は、番組データを継続的に放送し受信機において受信後一旦メモリ上に取り込まれた後で再生される付加データを、カルーセル方式で繰り返し放送するデータ放送装置であって、定常的に放送すべき番組データである定常番組データと当該定常番組データに関連する付加データである関連データと当該定常データと関連しない付加データである非関連データとを記録している記録手段と、受信機において前記定常番組データよりも優先的に再生すべき優先番組データを入手する入手手段と、記録手段に記録されている定常番組データを継続的に放送し記録手段に記録されている関連データと、非関連データとを繰り返し放送し入手手段により前記優先番組データが入手された場合に当該定常番組データの放送を中断して代わりに当該優先番組データを放送する放送手段と、受信機に対して前記定常番組データの放送が中断した時に前記非関連データの再生中に当該非関連データの再生をやめて前記関連データを再生することを禁止する切り替え禁止指示を放送手段に放送させる指示手段とを備える。
【００１６】
これによって、優先番組データを入手した場合に、定常番組データの放送を中断して、代わりに優先番組データを放送するだけでなく、受信機において非関連データの再生をやめて関連データを再生することを禁止する切り替え禁止指示を放送することができる。
従って、受信機においては、非関連データから関連データへの再生の切り替えを即座に禁止することができる。
【００１７】
【発明の実施の形態】
（実施の形態１）
＜概要＞
本発明の実施の形態１に係る放送装置は、対象付加データの受信装置による再生を即座に中止させるために、対象付加データの代わりに他の付加データを再生させる切り替え指示を放送するものである。
【００１８】
また当該放送装置は、切り替え指示を放送すると同時に、他の付加データ中の対象付加データへ張られたリンクを無効にする無効指示を放送する。
また当該放送装置は、対象付加データの受信装置による再生を再開させるために、他の付加データの再生をやめさせて対象付加データの再生を再開させる戻り指示を放送する。
【００１９】
また当該放送装置は、戻り指示を放送すると同時に、他の付加データ中の対象付加データへ張られたリンクを有効にする有効指示を放送する。
＜構成＞
図１は、実施の形態１に係る放送システムの構成を示す図である。
図１に示す放送システムは放送装置１００、及び、受信装置１１０から構成される。
【００２０】
なお、図１には受信されたデータ放送に基づいて視聴者に対して番組やデータを提示するテレビ１１１を記載している。
放送装置１００は、ＡＶデータ保持部１０１、緊急用ＡＶデータ入手部１０２、付加データ保持部１０３、編成情報管理部１０４、送出制御部１０５、ＡＶ送出部１０６、付加データ送出部１０７、イベントメッセージ送出部１０８、及び、多重化部１０９を備える。
【００２１】
ＡＶデータ保持部１０１は、例えば市販のＶＴＲやビデオサーバ等であり、番組用の映像データ及び音声データ（以下「ＡＶデータ」と記す）を保持する。
図２は、ＡＶデータ保持部１０１に保持されるＡＶデータの一例を示す図である。
図２に示した「ドラマＡ映像２０１」は、「ドラマＡ」という題名の番組で用いられるＡＶデータである。
【００２２】
緊急用ＡＶデータ入手部１０２は、例えば災害警報や重大ニュースの速報などの、他の番組よりも優先的に放送すべき緊急用ＡＶデータを突発的に入手する。
図３は、緊急用ＡＶデータ入手部１０２により入手される緊急用ＡＶデータの一例を示す図である。
図３に示した「緊急映像３０１」は、事故の発生を知らせる緊急用ＡＶデータである。
【００２３】
付加データ保持部１０３は、例えば市販のＶＴＲやビデオサーバ等であり、送出する付加データを保持する。ここで、付加データ保持部１０３が保持する付加データは、番組に関連する情報の付加データである関連データと、番組に関連しない情報の付加データである非関連データとに分類される。
図４、図５は、付加データ保持部１０３に保持される付加データの一例を示す図である。
【００２４】
図４に示す「ドラマＡ付加データ４０１」は、「ドラマＡ」という題名の番組（以下「ドラマＡ」番組と記す）に関連する関連データである。
ドラマＡ付加データ４０１には、番組のロケ地を表すロケ地情報４０２、これまでのあらすじを表すあらすじ情報４０３などの番組「ドラマＡ」に関連する各種の詳細な情報が含まれている。また、ボタン４０４は、別の付加データである今日のニュースの非関連データへリンクが張られているボタンであり、視聴者はボタン４０４をリモコン等を用いて選択することにより、今日のニュースの非関連データに表示を切り替えることができる。ここで表示領域４０５には、番組「ドラマＡ」が表示される。
【００２５】
図５に示す「ニュース付加データ５０１」は、番組に関連しない非関連データである。
ニュース付加データ５０１には、ニュースの見出し情報５０２や、ニュースの内容５０３など、今日のニュースの情報そのものが含まれている。また、ボタン５０４は、別の付加データであるドラマの情報の関連データへリンクが張られたボタンであり、視聴者はボタン５０４をリモコン等を用いて選択することにより、ドラマの情報の関連データに表示を切り替えることができる。ここで表示領域５０５には、番組「ドラマＡ」が表示される。
【００２６】
編成情報管理部１０４は、放送すべき番組の編成情報を記録するメモリやＨＤＤなどの記録媒体と、編成担当者から放送すべき番組の編成情報の入力を受けたり閲覧させる入出力端末とからなる。編成情報管理部１０４には、例えば、放送開始時刻、放送終了時刻、ＡＶデータの名称、及び、付加データの名称等を対応づけて管理する管理表が保持される。
【００２７】
送出制御部１０５は、時計を内蔵し、編成情報管理部１０４により管理される編成情報を参照して、ＡＶ送出部１０６、付加データ送出部１０７、イベントメッセージ送出部１０８、のそれぞれが動作すべきタイミングを管理してそれぞれに対して指示を出し、装置全体の動作を制御する。
また送出制御部１０５は、編成情報管理部１０４によって管理される管理表を参照することにより、ＡＶ送出部１０６へ各番組の放送開始時刻に当該番組のＡＶデータ名を渡して当該番組のＡＶデータの送出開始を指示し、当該番組の放送終了時刻に当該番組のＡＶデータの送出停止を指示し、さらに、付加データ送出部１０７へ各付加データの放送開始時刻に当該付加データの付加データ名を渡して当該付加データの送出開始を指示し、当該付加データの放送終了時刻に当該付加データの送出停止を指示する。
【００２８】
また送出制御部１０５は、緊急用ＡＶデータ入手部１０２により緊急用ＡＶデータが入手された場合に、ＡＶ送出部１０６へ現在放送している番組のＡＶデータの放送を中断して当該緊急用ＡＶデータを放送するように指示を出し、さらに、付加データ送出部１０７へ放送を中断した番組に関連する関連データの送出を止めるように指示を出し、さらに、イベントメッセージ送出部１０８へ受信装置に対して当該関連データの再生をやめさせて非関連データを再生させる切り替え指示を放送するように指示を出し、さらに、非関連データに含まれている関連データへのリンクを無効にする無効指示を放送するように指示を出す。
【００２９】
また送出制御部１０５は、緊急用ＡＶデータの放送が終了した場合に、ＡＶ送出部１０６へ放送を中断した番組のＡＶデータの放送を再開するように指示を出し、さらに、付加データ送出部１０７へ放送を再開した番組のＡＶデータに関連する関連データの送出を再開するように指示を出し、さらに、イベントメッセージ送出部１０８へ受信装置に対して非関連データの再生をやめさせて関連データを再生させる戻し指示を放送するように指示を出し、さらに、非関連データに含まれている関連データへのリンクを有効にする有効指示を放送するように指示を出す。
【００３０】
ＡＶ送出部１０６は、送出制御部１０５の指示に従い、ＡＶデータ保持部１０１に保持された番組用のＡＶデータを読み出して、又は、緊急用ＡＶデータ入手部１０２により入手された緊急用ＡＶデータを多重化部１０９に渡す。
付加データ送出部１０７は、送出制御部１０５の指示に従い、付加データ保持部１０３に保持された各付加データを読み出して多重化部１０９に渡す。
【００３１】
イベントメッセージ送出部１０８は、送出制御部１０５の指示に従い、イベントメッセージを生成して多重化部１０９に渡す。
ここでイベントメッセージとは、受信装置で動作中のアプリケーションソフトウェアに対して、放送装置が即座にあるいは指定した時刻に特定のイベントを実行するように指示する為に用いられる、データ量の小さなメッセージ情報である。
【００３２】
ここでは、受信装置で動作しているアプリケーションソフトウェアにおいて、メッセージＩＤに対応するイベントを予め定義しておき、受信装置が受信するメッセージＩＤを含むイベントメッセージに基づいて、例えば付加データを切り替えたり、他の付加データへのリンクを無効にするなどのイベントを実行することとする。
【００３３】
ここでメッセージＩＤとは、イベントメッセージ送出部１０８により生成されるイベントメッセージの識別子である。
上記のようなイベントの定義は、カルーセルデータ中にスクリプト言語を用いてイベントの処理内容を記述することにより実現できる。なお、イベントメッセージについての詳細、およびスクリプト言語の記述方法については、「ＡＲＩＢＳＴＤ−Ｂ２４ デジタル放送におけるデータ放送符号化方式と伝送方式」規格書に記述されている。
【００３４】
本実施の形態では、ドラマＡ付加データ４０１の再生をやめてニュース付加データ５０１を再生すること、ニュース付加データ５０１の再生をやめてドラマＡ付加データ４０１の再生を再開すること、ニュース付加データ５０１に含まれているドラマＡ付加データ４０１へのリンクを無効にすること、及び、無効とされたリンクを有効とすること等を、イベントメッセージ受信時の受信装置の動作として予め定義しておく。
【００３５】
多重化部１０９は、ＡＶ送出部１０６から渡される番組用のＡＶデータ又は緊急用ＡＶデータ、付加データ送出部１０７から渡される付加データ、イベントメッセージ送出部１０８から渡されるイベントメッセージを多重化してデータストリームを生成し、受信装置に向けて放送する。
多重化部１０９は、一般のデジタル衛星放送で使用されているトランスポートストリーム多重化装置や、それと同等の働きをするソフトウェアで構成することができる。
【００３６】
受信装置１１０は、放送装置１００が放送するデータストリームを受信して、当該データストリームに多重されたＡＶデータの番組をテレビ１１１に表示させ、当該データストリームに多重されたイベントメッセージの指示に応じて、番組に関する詳細な情報等の提示切り替えの動作を行いつつ、当該データストリームに多重された付加データに基づいて、当該情報等をテレビ１１１に表示させる。
【００３７】
＜動作＞
ここで、本発明の実施の形態１に係る放送装置１００における放送動作を説明する。
図６は、本発明の実施の形態１の放送装置１００における送信動作の一例を示す図である。
【００３８】
なおここでは、編成情報管理部１０４が管理する管理表に基づいて、「ドラマＡ映像２０１」、「ドラマＡ付加データ４０１」、及び、「ニュース付加データ５０１」が多重されて放送されているものとする。
（１）緊急用ＡＶデータ入手部１０２が、緊急用ＡＶデータを入手するまで待つ（ステップＳ１）。
【００３９】
ここでは時刻Ｔ１に「緊急映像３０１」を入手するものとする。
（２）緊急用ＡＶデータが入手された場合は、送出制御部１０５が、ＡＶ送出部１０６に現在放送している番組のＡＶデータの放送を中断して当該緊急用ＡＶデータを放送するように指示し、さらに、付加データ送出部１０７に放送を中断した番組のＡＶデータに関連する関連データの送出を止めるように指示し、さらに、イベントメッセージ送出部１０８に受信装置に対して当該関連データの再生をやめさせて非関連データを再生させる切り替え指示を放送するように指示し、さらに、非関連データに含まれている関連データへのリンクを無効にする無効指示を放送するように指示する（ステップＳ２）。
【００４０】
ここでは、送出制御部１０５が、ＡＶ送出部１０６へ「ドラマＡ映像２０１」の放送を中断して「緊急映像３０１」を放送するように指示を出し、さらに、付加データ送出部１０７へ「ドラマＡ付加データ４０１」の送出を止めるように指示を出し、さらに、イベントメッセージ送出部１０８へ受信装置に対して「ドラマＡ付加データ４０１」の再生をやめさせて「ニュース付加データ５０１」を再生させる切り替え指示を放送するように指示を出し、さらに、「ニュース付加データ５０１」に含まれている「ドラマＡ付加データ４０１」へのリンクを無効にする無効指示を出す。
【００４１】
（３）ＡＶ送出部１０６が、送出制御部１０５の指示に従い、ＡＶデータ保持部１０１に保持された番組用のＡＶデータの代わりに、緊急用ＡＶデータ入手部１０２により入手された緊急用ＡＶデータを多重化部１０９に渡す。
また付加データ送出部１０７が、送出制御部１０５の指示に従い、関連データの送出を止める。
【００４２】
またイベントメッセージ送出部１０８が、送出制御部１０５の指示に従い、切り替え指示、及び、無効指示を示す各イベントメッセージを生成して多重化部１０９に渡す（ステップＳ３）。
ここでは、ＡＶ送出部１０６が「ドラマＡ映像２０１」の代わりに「緊急映像３０１」を多重化部１０９に渡し、付加データ送出部１０７が「ドラマＡ付加データ４０１」の送出を止め、イベントメッセージ送出部１０８が「ドラマＡ付加データ４０１」の再生をやめさせて「ニュース付加データ５０１」を再生させる切り替え指示、及び、「ニュース付加データ５０１」に含まれている「ドラマＡ付加データ４０１」へのリンクを無効にする無効指示を示す各イベントメッセージを生成して多重化部１０９に渡す。
【００４３】
（４）多重化部１０９が、ＡＶ送出部１０６から渡される緊急用ＡＶデータ、付加データ送出部１０７から渡される付加データ、イベントメッセージ送出部１０８から渡されるイベントメッセージを多重化してデータストリームを生成し、受信装置に向けて放送する（ステップＳ４）。
ここでは、多重化部１０９が、「緊急映像３０１」、「ニュース付加データ５０１」、及び、各イベントメッセージを多重化してデータストリームを生成する。
【００４４】
（５）緊急用ＡＶデータの放送が終了するまで待つ（ステップＳ５）。
ここでは時刻Ｔ２に「緊急映像３０１」の放送が終了するものとする。
（６）緊急用ＡＶデータの放送が終了した場合に、送出制御部１０５が、ＡＶ送出部１０６に放送を中断した番組のＡＶデータの放送を再開するように指示し、さらに、付加データ送出部１０７に放送を再開した番組のＡＶデータに関連する関連データの送出を再開するように指示し、さらに、イベントメッセージ送出部１０８に受信装置に対して非関連データの再生をやめさせて関連データを再生させる戻し指示を放送するように指示し、さらに、非関連データに含まれている関連データへのリンクを有効にする有効指示を放送するように指示する（ステップＳ６）。
【００４５】
ここでは、送出制御部１０５が、ＡＶ送出部１０６へ「ドラマＡ映像２０１」の放送を再開するように指示を出し、付加データ送出部１０７へ「ドラマＡ付加データ４０１」の送出を再開するように指示を出し、イベントメッセージ送出部１０８へ受信装置に対して「ニュース付加データ５０１」の再生をやめさせて「ドラマＡ付加データ４０１」を再生させる戻し指示を放送するように指示を出し、さらに、「ニュース付加データ５０１」に含まれている「ドラマＡ付加データ４０１」へのリンクを有効にする有効指示を出す。
【００４６】
（７）ＡＶ送出部１０６が、送出制御部１０５の指示に従い、ＡＶデータ保持部１０１に保持された番組用のＡＶデータを多重化部１０９に渡す。
また付加データ送出部１０７が、送出制御部１０５の指示に従い、関連データの送出を再開する。
またイベントメッセージ送出部１０８が、送出制御部１０５の指示に従い、戻し指示、及び、有効指示を示す各イベントメッセージを生成して多重化部１０９に渡す（ステップＳ７）。
【００４７】
ここでは、ＡＶ送出部１０６が「ドラマＡ映像２０１」を多重化部１０９に渡し、付加データ送出部１０７が「ドラマＡ付加データ４０１」の送出を再開し、イベントメッセージ送出部１０８が「ニュース付加データ５０１」の再生をやめさせて「ドラマＡ付加データ４０１」を再生させる戻し指示、及び、「ニュース付加データ５０１」に含まれている「ドラマＡ付加データ４０１」へのリンクを有効にする有効指示を示す各イベントメッセージを生成して多重化部１０９に渡す。
【００４８】
（８）多重化部１０９が、ＡＶ送出部１０６から渡される番組用のＡＶデータ、付加データ送出部１０７から渡される付加データ、イベントメッセージ送出部１０８から渡されるイベントメッセージを多重化してデータストリームを生成し、受信装置に向けて放送する（ステップＳ８）。
ここでは、多重化部１０９が、「ドラマＡ映像２０１」、「ドラマＡ付加データ４０１」、「ニュース付加データ５０１」、及び、各イベントメッセージを多重化してデータストリームを生成する。
【００４９】
＜具体例＞
図７は、本発明の実施の形態１の放送装置１００が出力するデータストリームの具体例を示す図である。
図７に示すデータストリーム７００は、上段がＡＶデータのデータストリーム７０１、中段が関連データのデータストリーム７０２、下段が非関連データのデータストリーム７０３である。
【００５０】
図７に示す矢印７１０は時間軸であり、左方向から右方向へ時間が経過することを表している。
ＡＶデータのデータストリーム７０１においては、時刻Ｔ１以前に「ドラマＡ映像２０１」が送出され、時刻Ｔ１から「緊急映像３０１」の送出が開始され、時刻Ｔ２から再び「ドラマＡ映像２０１」の送出が再開されている。
【００５１】
関連データのデータストリーム７０２においては、時刻Ｔ１以前に「ドラマＡ付加データ４０１」が送出され、時刻Ｔ１から「ドラマＡ付加データ４０１」の送出が中断され、時刻Ｔ２から再び「ドラマＡ付加データ４０１」の送出が再開され、また時刻Ｔ１から切り替え指示を示すイベントメッセージ７０４が送出されている。
【００５２】
非関連データのデータストリーム７０３においては、時刻Ｔ１、時刻Ｔ２に関係なく「ニュース付加データ５０１」が送出され、また時刻Ｔ１から無効指示を示すイベントメッセージ７０５が送出され、時刻Ｔ２から戻り指示、及び有効指示を示すイベントメッセージ７０６が送出されている。
なお、図７においてイベントメッセージ７０４、７０５、７０６を取りこぼし防止のため３回ずつ送出しているが、送出回数は任意の回数でよい。
【００５３】
図８は、受信装置１１０が図７に示したようなデータストリーム７００を受信した際に、テレビ１１１に表示される画面の遷移の具体例を示した図である。
以下に、受信装置１１０がデータストリーム７００を受信した際の動作を図８に添って説明する。
（１）時刻Ｔ１以前においては、画面８０１に示すように、受信装置１１０が、データストリーム７００の受信を開始し、ＡＶデータのデータストリーム７０１の「ドラマＡ映像２０１」を右上の表示領域に表示させ、関連データのデータストリーム７０２の「ドラマＡ付加データ４０１」を左下のＬ字型の表示領域に表示させる。
【００５４】
（２）時刻Ｔ１においては、画面８０２に示すように、受信装置１１０が、ＡＶデータのデータストリーム７０１の「緊急映像３０１」を右上の表示領域に表示させ、同時に、イベントメッセージ７０４を受信して、非関連データのデータストリーム７０３の「ニュース付加データ５０１」を左下のＬ字型の表示領域に表示させ、イベントメッセージ７０５を受信して「ドラマＡ付加データ４０１」へのリンクのボタン５０４を無効にし表示枠を点線にする。
【００５５】
（３）時刻Ｔ２においては、画面８０１に示すように、受信装置１１０が、にＡＶデータのデータストリーム７０１の「ドラマＡ映像２０１」を右上の表示領域に表示させ、同時に、イベントメッセージ７０６を受信して、関連データのデータストリーム７０２の「ドラマＡ付加データ４０１」を左下のＬ字型の表示領域に表示させ、「ドラマＡ付加データ４０１」へのリンクを有効にする。
【００５６】
以上のように、本発明の実施の形態１の放送装置によれば、緊急用ＡＶデータの放送を突発的に開始し今まで放送していた番組用のＡＶデータと関連データの放送を中断する時に切り替え指示を放送することができるので、受信装置がこの切り替え指示を受信した時に、即座に関連データの再生をやめて非関連データを再生することができ、トラブルスライドなどの無意味な付加データを放送することなく、視聴者への関連データの提供を即座に停止することができる。
【００５７】
また、本発明の実施の形態１の放送装置によれば無効指示を放送することができるので、受信装置がこの無効指示を受信したのちには非関連データから関連データへ張られたリンクを無効にすることができ、視聴者が関連データの再生を選択できないようにすることができる。
また、本発明の実施の形態１の放送装置によれば、緊急用ＡＶデータの放送が終了し番組用のＡＶデータと関連データの放送を再開する時に戻り指示を放送することができるので、受信装置がこの戻り指示を受信した時に、即座に非関連データの再生をやめて関連データの再生を再開することができ、視聴者への関連データの提供を即座に再開することができる。
【００５８】
また、本発明の実施の形態１の放送装置によれば有効指示を放送することができるので、受信装置がこの有効指示を受信したのちには非関連データから関連データへ張られたリンクを有効にすることができ、視聴者が関連データの再生を選択できるようにすることができる。
なお、本発明の実施の形態１では、突発的なニュースの発生時に、差替えられＡＶデータに関連する付加データの再生を即座にやめさせる場合を説明したが、付加データの内容が不適切であったり誤りがあることが発覚した時や、送信側や受信側の装置に何らかの障害が発生した時など、受信装置において受信後一旦メモリ上に取り込まれた後で再生されるようなデータの再生を即座にやめさせたい場合であれば、いかなる場合であってもかまわない。
【００５９】
また、本発明の実施の形態１の放送装置では、各指示を受信装置に実行させたい時に放送しているが、関連データの再生を即座にやめさせたい時には、関連データの代わりに空カルーセルを放送することとし、空カルーセルに切り替わったことを検出した場合に切り替え及び無効化する手順を、例えばスクリプト言語等で記載したプログラムとして受信装置に予め指示しておき、関連データの再生を再開させたい時には、空カルーセルの代わりに関連データを放送することとし、空カルーセルでなくなったことを検出した場合に戻り及び有効化する手順を、例えばスクリプト言語等で記載したプログラムとして受信装置に予め指示しておくことにより、本発明の実施の形態１と同様の機能を実現できる。
【００６０】
ここで空カルーセルとは、実質的なデータを含まないカルーセルデータであり、受信装置は空カルーセルに切り替わったことや空カルーセルでなくなったことを即座に検出する。
空カルーセルの詳細、及び、スクリプト言語の記述方法については、「ＡＲＩＢ ＳＴＤ−Ｂ２４ デジタル放送におけるデータ放送符号化方式と伝送方式」規格書に記述されている。
【００６１】
図９は、空カルーセルを利用した場合の放送装置が出力するデータストリームの具体例を示す図である。
図９に示すデータストリーム９００は、上段がＡＶデータのデータストリーム９０１、中段が関連データのデータストリーム９０２、下段が非関連データのデータストリーム９０３である。
【００６２】
図９に示す矢印９１０は時間軸であり、左方向から右方向へ時間が経過することを表している。
ＡＶデータのデータストリーム９０１においては、時刻Ｔ１以前に「ドラマＡ映像２０１」が送出され、時刻Ｔ１から「緊急映像３０１」の送出が開始され、時刻Ｔ２から再び「ドラマＡ映像２０１」の送出が再開されている。
【００６３】
関連データのデータストリーム９０２においては、時刻Ｔ１以前に「ドラマＡ付加データ４０１」が送出され、時刻Ｔ１から「ドラマＡ付加データ４０１」の代わりに空カルーセル９０４が送出され、時刻Ｔ２から再び「ドラマＡ付加データ４０１」の送出が再開され、また、時刻Ｔ１以前及び時刻Ｔ２以後の全般に渡って、空カルーセルに切り替わったことを検出した場合に切り替える手順を記載したプログラム９０５が送出されている。
【００６４】
非関連データのデータストリーム７０３においては、時刻Ｔ１、時刻Ｔ２に関係なく「ニュース付加データ５０１」が送出され、また、時刻Ｔ１以前及び時刻Ｔ２以後の全般に渡って、空カルーセルに切り替わったことを検出した場合に無効化する手順を記載したプログラム９０７が送出され、時刻Ｔ１から時刻Ｔ２の間に、空カルーセルでなくなったことを検出した場合に戻り及び有効化する手順を記載したプログラム９０６が送出されている。
【００６５】
また、切り替えは空カルーセルを利用してその手順を予め送出し、その他の指示はそれぞれ受信装置に実行させたい時に放送するなど、各指示毎にどちらの方法を用いてもよい。
図１０は、切り替えだけに空カルーセルを利用した場合の放送装置が出力するデータストリームの具体例を示す図である。
【００６６】
図１０に示すデータストリーム１０００は、上段がＡＶデータのデータストリーム１００１、中段が関連データのデータストリーム１００２、下段が非関連データのデータストリーム１００３である。
図１０に示す矢印１０１０は時間軸であり、左方向から右方向へ時間が経過することを表している。
【００６７】
ＡＶデータのデータストリーム１００１においては、時刻Ｔ１以前に「ドラマＡ映像２０１」が送出され、時刻Ｔ１から「緊急映像３０１」の送出が開始され、時刻Ｔ２から再び「ドラマＡ映像２０１」の送出が再開されている。
関連データのデータストリーム１００２においては、時刻Ｔ１以前に「ドラマＡ付加データ４０１」が送出され、時刻Ｔ１から「ドラマＡ付加データ４０１」の代わりに空カルーセル１００４が送出され、時刻Ｔ２から再び「ドラマＡ付加データ４０１」の送出が再開され、また、時刻Ｔ１以前及び時刻Ｔ２以後の全般に渡って、空カルーセルに切り替わったことを検出した場合に切り替える手順を記載したプログラム１００５が送出されている。
【００６８】
非関連データのデータストリーム１００３においては、時刻Ｔ１、時刻Ｔ２に関係なく「ニュース付加データ５０１」が送出され、また時刻Ｔ１から無効指示を示すイベントメッセージ１００６が送出され、時刻Ｔ２から戻り指示、及び有効指示を示すイベントメッセージ１００７が送出されている。
また、時刻Ｔ１から時刻Ｔ２の間に「ドラマＡ付加データ４０１」の代わりに、非関連データを再生するという動作を記述したダミー付加データを送出してもよい。
【００６９】
ここでダミー付加データはスクリプト言語等で記載したプログラムとして作成することができる。
また、本発明の実施の形態１の放送装置では、切り替え指示、無効指示、戻り指示、及び、有効指示をイベントメッセージを用いて放送したが、特定の識別子を有するモジュールとして放送してもよい
ここでモジュールとは、カルーセルデータを構成する所定のデータ量の一単位の名称であり、受信装置はモジュールが追加されたり更新されたことを即座に検出する。従って、イベントメッセージを送信するのではなく、特定のモジュールを付加データに追加することによっても、本発明の実施の形態１と同様の機能を実現できる。
【００７０】
モジュールのフォーマット方法、及び、受信装置でのモジュール追加や変更の検出方式については、ＡＲＩＢ ＳＴＤ−Ｂ２４ デジタル放送におけるデータ放送符号化方式と伝送方式」規格書に記述されている。
また、コンピュータに本発明のような動作を実行させることができるプログラムが、コンピュータ読み取り可能な記録媒体に記録されて流通したり、ネットワークで直接転送されたりして、取り引きの対象となりうる。
【００７１】
ここでコンピュータ読み取り可能な記録媒体とは、例えば、フロッピーディスク、ＣＤ、ＭＯ、ＤＶＤ、メモリーカード等の着脱可能な記録媒体、ハードディスク、半導体メモリ等の固定記録媒体等であり、特に限定されるものではない。
【００７２】
【発明の効果】
本発明に係るデータ放送装置は、受信機において受信後一旦メモリ上に取り込まれた後で再生される放送データをカルーセル方式で繰り返し放送するデータ放送装置であって、第１放送データ及び第２放送データを記録している記録手段と、受信機において前記第１放送データの再生を禁止すべきであることを意味する禁止事象を検出する検出手段と、記録手段に記録されている第１放送データと記録手段に記録されている第２放送データとを繰り返し放送し、検出手段により前記禁止事象が検出された場合に当該第１放送データの放送を中断する放送手段と、受信機に対して前記第１放送データの放送が中断した時に当該第１放送データの再生をやめさせて前記第２放送データを再生させる切り替え指示を放送手段に放送させる指示手段とを備える。
【００７３】
これによって、禁止事象を入手した場合に第１放送データの放送を中断するだけでなく、受信機に第１放送データの再生をやめさせて第２放送データを再生させる切り替え指示を放送することができる。
従って、無意味な放送データを放送することなく、視聴者への第１放送データの提供を即座に停止することができる。
【００７４】
また、データ放送装置において、前記切り替え指示は受信機が当該切り替え指示を受信した時に当該受信機に前記第１放送データの再生を禁止するタイミングを指示するものであり、前記指示手段は前記検出手段により前記禁止事象が検出された時に前記切り替え指示を前記第１放送データの代わりに前記放送手段に放送させ当該第１放送データを再生中の受信機に前記タイミングを知らせることを特徴とすることもできる。
【００７５】
これによって、禁止事象を入手した時に、第１放送データの再生を禁止するタイミングを受信機に知らせるための切り替え指示を放送することができる。
従って、受信機においては、切り替え指示を受信したことを合図にして、視聴者への第１放送データの提供を即座に停止することができる。
また、データ放送装置において、前記指示手段は前記切り替え指示をイベントメッセージ又は特定の識別子を有するモジュールとして前記放送手段に放送させることを特徴とすることもできる。
【００７６】
これによって、切り替え指示をイベントメッセージ又は特定の識別子を有するモジュールとして放送することができる。
また、データ放送装置において、前記放送手段は前記検出手段により前記禁止事象が検出された場合に当該第１放送データに対応する空カルーセルを放送し、前記切り替え指示は受信機が前記第１放送データに対応する空カルーセルを受信した時に当該第１放送データの再生をやめて前記第２放送データを再生する手順を当該受信機に指示するものであり、前記指示手段は前記検出手段により前記禁止事象が検出されるのを待たずに前記切り替え指示を前記放送手段に放送させ前記手順を受信機に予め指示しておくことを特徴  とすることもできる。
【００７７】
これによって、禁止事象を入手するのを待たずに、空カルーセルを受信した時に第１放送データの再生をやめて第２放送データを再生する手順を放送することができる。
《  》従って、受信機においては、空カルーセルを受信したことを合図にして、視聴者への第１放送データの提供を即座に停止することができる。
【００７８】
また、データ放送装置において、前記切り替え指示は受信機が前記第１放送データの受信中に当該第１放送データの受信の中断を感知した時に当該第１放送データの再生をやめて前記第２放送データを再生する手順を当該受信機に指示するものであり、前記指示手段は前記検出手段により前記禁止事象が検出されるのを待たずに前記切り替え指示を前記放送手段に放送させ前記手順を受信機に予め指示しておくことを特徴とすることもできる。
【００７９】
これによって、禁止事象を入手するのを待たずに、第１放送データの受信の中断を感知した時に第１放送データの再生をやめて第２放送データを再生する手順を放送することができる。
従って、受信機においては、第１放送データの受信の中断を感知したことを合図にして、視聴者への第１放送データの提供を即座に停止することができる。
【００８０】
また、データ放送装置において、前記検出手段は前記禁止事象を検出した後に禁止を解除すべきであることを意味する解除事象を検出し、前記放送手段は前記検出手段により前記解除事象が検出された場合に前記第１放送データの放送を再開し、前記指示手段は、さらに、受信機に対して前記第１放送データの放送が再開された時に前記第２放送データの再生をやめさせて当該第１放送データを再生させる戻り指示を前記放送手段に放送させることを特徴とすることもできる。
【００８１】
これによって、解除事象を入手した場合に第１放送データの放送を再開するだけでなく、受信機に第２放送データの再生をやめさせて第１放送データを再生させる戻り指示を放送することができる。
従って、受信機においては、視聴者への第１放送データの提供を即座に再開することができる。
【００８２】
また、データ放送装置において、前記戻り指示は受信機が当該戻り指示を受信した時に当該受信機に前記第１放送データの再生を再開するタイミングを指示するものであり、前記指示手段は前記検出手段により前記解除事象が検出された時に前記戻り指示を前記第２放送データに付加して前記前記放送手段に放送させ当該第２放送データを再生中の受信機に前記タイミングを知らせることを特徴とすることもできる。
【００８３】
これによって、解除事象を入手した時に、第１放送データの再生を再開するタイミングを受信機に知らせるための戻り指示を放送することができる。
従って、受信機においては、戻り指示を受信したことを合図にして、視聴者への第１放送データの提供を即座に再開することができる。
また、データ放送装置において、前記指示手段は前記戻り指示をイベントメッセージ又は特定の識別子を有するモジュールとして前記放送手段に放送させることを特徴とすることもできる。
【００８４】
これによって、戻り指示をイベントメッセージ又は特定の識別子を有するモジュールとして放送することができる。
また、データ放送装置において、前記放送手段は前記検出手段により前記禁止事象が検出された場合に当該第１放送データの代わりに空カルーセルを放送し前記検出手段により前記解除事象が検出された場合に当該空カルーセルの代わりに当該第１放送データを放送し、前記戻り指示は、受信機が前記第１放送データの代わりに放送されていた空カルーセルが受信されなくなった時に前記第２放送データの再生をやめて当該第１放送データを再生する手順を当該受信機に指示するものであり、前記指示手段は前記検出手段により前記解除事象が検出されるのを待たずに前記戻り指示を前記放送手段に放送させ前記手順を受信機に予め指示しておくことを特徴とすることもできる。
【００８５】
これによって、解除事象を入手するのを待たずに、空カルーセルを受信できなくなった時に第２放送データの再生をやめて第１放送データを再生する手順を放送することができる。
従って、受信機においては、空カルーセルを受信できなくなったことを合図にして、視聴者への第１放送データの提供を即座に再開することができる。
【００８６】
また、データ放送装置において、前記戻り指示は受信機が前記第１放送データの受信の再開を感知した時に前記第２放送データの再生をやめて当該第１放送データを再生する手順を当該受信機に指示するものであり、前記指示手段は前記検出手段により前記解除事象が検出されるのを待たずに前記戻り指示を前記放送手段に放送させ前記手順を受信機に予め指示しておくことを特徴とすることもできる。
【００８７】
これによって、解除事象を入手するのを待たずに、第１放送データの受信の再開を感知した時に第２放送データの再生をやめて第１放送データを再生する手順を放送することができる。
従って、受信機においては、第１放送データの受信の再開を感知したことを合図にして、視聴者への第１放送データの提供を即座に再開することができる。
【００８８】
本発明に係るデータ放送装置は、受信機において受信後一旦メモリ上に取り込まれた後で再生される放送データをカルーセル方式で繰り返し放送するデータ放送装置であって、第１放送データ及び第２放送データを記録している記録手段と、受信機において前記第１放送データの再生を禁止すべきであることを意味する禁止事象を検出する検出手段と、記録手段に記録されている第１放送データと記録手段に記録されている第２放送データとを繰り返し放送し、検出手段により前記禁止事象が検出された場合に当該第１放送データの放送を中断する放送手段と、受信機に対して前記第１放送データの放送が中断した時に前記第２放送データの再生中に当該第２放送データの再生をやめて前記第１放送データを再生することを禁止する切り替え禁止指示を放送手段に放送させる指示手段とを備える。
【００８９】
これによって、禁止事象を入手した場合に第１放送データの放送を中断するだけでなく、受信機において第２放送データの再生中に第２放送データの再生をやめて第１放送データを再生することを禁止する切り替え禁止指示を放送することができる。
従って、受信機においては、第２放送データから第１放送データへの再生の切り替えを即座に禁止することができる。
【００９０】
また、データ放送装置において、前記切り替え禁止指示は受信機が当該切り替え禁止指示を受信した時に当該受信機に前記第１放送データの再生を禁止するタイミングを指示するものであり、前記指示手段は前記検出手段により前記禁止事象が検出された時に前記切り替え禁止指示を前記放送手段に放送させ当該第２放送データを再生中の受信機に前記タイミングを知らせることを特徴とすることもできる。
【００９１】
これによって、禁止事象を入手した時に、第１放送データの再生を禁止するタイミングを受信機に知らせるための切り替え禁止指示を放送することができる。
従って、受信機においては、切り替え禁止指示を受信したことを合図にして、第２放送データから第１放送データへの再生の切り替えを禁止することができる。
【００９２】
また、データ放送装置において、前記指示手段は前記切り替え禁止指示をイベントメッセージ又は特定の識別子を有するモジュールとして前記放送手段に放送させることを特徴とすることもできる。
これによって、切り替え禁止指示をイベントメッセージ又は特定の識別子を有するモジュールとして放送することができる。
【００９３】
また、データ放送装置において、前記放送手段は前記検出手段により前記禁止事象が検出された場合に当該第１放送データの代わりに空カルーセルを放送し、前記切り替え禁止指示は受信機が前記第１放送データの代わりに空カルーセルを受信した時に当該第２放送データの再生をやめて前記第１放送データを再生することを禁止する手順を当該受信機に指示するものであり、前記指示手段は前記検出手段により前記禁止事象が検出されるのを待たずに前記切り替え禁止指示を前記放送手段に放送させ前記手順を受信機に予め指示しておくことを特徴とすることもできる。
【００９４】
これによって、禁止事象を入手するのを待たずに、空カルーセルを受信した時に第２放送データの再生をやめて第１放送データを再生することを禁止する手順を放送することができる。
《  》従って、受信機においては、空カルーセルを受信したことを合図にして、第２放送データから第１放送データへの再生の切り替えを禁止することができる。
【００９５】
また、データ放送装置において、前記切り替え禁止指示は受信機が前記第１放送データの受信中に当該第１放送データの受信の中断を感知した時に当該第２放送データの再生をやめて前記第１放送データを再生することを禁止する手順を当該受信機に指示するものであり、前記指示手段は前記検出手段により前記禁止事象が検出されるのを待たずに前記切り替え禁止指示を前記放送手段に放送させ前記手順を受信機に予め指示しておくことを特徴  とすることもできる。
【００９６】
これによって、禁止事象を入手するのを待たずに、第１放送データの受信の中断を感知した時に第２放送データから第１放送データへの再生の切り替えを禁止する手順を放送することができる。
従って、受信機においては、第１放送データの受信の中断を感知したことを合図にして、第２放送データから第１放送データへの再生の切り替えを禁止することができる。
【００９７】
本発明に係るデータ放送装置は、番組データを継続的に放送し受信機において受信後一旦メモリ上に取り込まれた後で再生される付加データをカルーセル方式で繰り返し放送するデータ放送装置であって、定常的に放送すべき番組データである定常番組データと当該定常番組データに関連する付加データである関連データと当該定常データと関連しない付加データである非関連データとを記録している記録手段と、受信機において前記定常番組データよりも優先的に再生すべき優先番組データを入手する入手手段と、記録手段に記録されている定常番組データを継続的に放送し記録手段に記録されている関連データと非関連データとを繰り返し放送し、入手手段により前記優先番組データが入手された場合に当該定常番組データの放送を中断して代わりに当該優先番組データを放送する放送手段と、受信機に対して前記定常番組データの放送が中断した時に前記関連データの再生をやめさせて前記非関連データを再生させる切り替え指示を放送手段に放送させる指示手段とを備える。
【００９８】
これによって、優先番組データを入手した場合に、定常番組データの放送を中断して、代わりに優先番組データを放送するだけでなく、受信機に関連データの再生をやめさせて非関連データを再生させる切り替え指示を放送することができる。
従って、無意味な放送データを放送することなく、視聴者への関連データの提供を即座に停止することができる。
【００９９】
また、データ放送装置において、前記切り替え指示は受信機が当該切り替え指示を受信した時に当該受信機に前記関連データの再生を禁止するタイミングを指示するものであり、前記指示手段は前記入手手段により前記優先番組データが入手された時に前記切り替え指示を前記放送手段に放送させ前記関連データを再生中の受信機に前記タイミングを知らせることを特徴  とすることもできる。
【０１００】
これによって、優先番組データを入手した時に、関連データの再生を禁止するタイミングを受信機に知らせるための切り替え指示を放送することができる。
従って、受信機においては、切り替え指示を受信したことを合図にして、視聴者への関連データの提供を即座に停止することができる。
また、データ放送装置において、前記指示手段は前記切り替え指示をイベントメッセージ又は特定の識別子を有するモジュールとして前記放送手段に放送させることを特徴とすることもできる。
【０１０１】
これによって、切り替え指示をイベントメッセージ又は特定の識別子を有するモジュールとして放送することができる。
また、データ放送装置において、前記放送手段は前記入手手段により前記優先番組データが入手された場合に前記関連データの放送を中断して代わりに空カルーセルを放送し、前記切り替え指示は受信機が前記関連データの代わりに空カルーセルを受信した時に前記関連データの再生をやめて前記非関連データを再生する手順を当該受信機に指示するものであり、前記指示手段は前記入手手段により前記優先番組データが入手されるのを待たずに前記切り替え指示を前記放送手段に放送させ前記手順を受信機に予め指示しておくことを特徴とすることもできる。
【０１０２】
これによって、優先番組データを入手するのを待たずに、空カルーセルを受信した時に関連データの再生をやめて非関連データを再生する手順を放送することができる。
従って、受信機においては、空カルーセルを受信したことを合図にして、視聴者への関連データの提供を即座に停止することができる。
【０１０３】
また、データ放送装置において、前記放送手段は前記入手手段により前記優先番組データが入手された場合に前記関連データの放送を中断し、前記切り替え指示は受信機が前記関連データの受信中に当該関連データの受信の中断を感知した時に当該関連データの再生をやめて前記非関連データを再生する手順を当該受信機に指示するものであり、前記指示手段は前記入手手段により前記優先番組データが入手されるのを待たずに前記切り替え指示を前記放送手段に放送させ前記手順を受信機に予め指示しておくことを特徴とすることもできる。
【０１０４】
これによって、優先番組データを入手するのを待たずに、関連データの受信の中断を感知した時に関連データの再生をやめて非関連データを再生する手順を放送することができる。
従って、受信機においては、関連データの受信の中断を感知したことを合図にして、視聴者への関連データの提供を即座に停止することができる。
【０１０５】
また、データ放送装置において、前記放送手段は前記優先番組データの放送が終了した場合に前記定常番組データの放送を再開し、前記指示手段は、さらに、受信機に対して前記定常番組データの放送が再開された時に前記非関連データの再生をやめさせて前記関連データを再生させる戻り指示を前記放送手段に放送させることを特徴とすることもできる。
【０１０６】
これによって、定常番組データの放送が再開された場合に、受信機に非関連データの再生をやめさせて関連データを再生させる戻り指示を放送することができる。
従って、受信機においては、視聴者への関連データの提供を即座に再開することができる。
【０１０７】
また、データ放送装置において、前記戻り指示は受信機が当該戻り指示を受信した時に当該受信機に前記関連データの再生を再開するタイミングを指示するものであり、前記指示手段は前記優先番組データの放送が終了した時に前記戻り指示を前記非関連データに付加して前記放送手段に放送させ当該非関連データを再生中の受信機に前記タイミングを知らせることを特徴とすることもできる。
【０１０８】
これによって、優先番組データの放送が終了した時に、関連データの再生を再開するタイミングを受信機に知らせるための戻り指示を放送することができる。
従って、受信機においては、戻り指示を受信したことを合図にして、視聴者への関連データの提供を即座に再開することができる。
また、データ放送装置において、前記指示手段は前記戻り指示をイベントメッセージ又は特定の識別子を有するモジュールとして前記放送手段に放送させることを特徴とすることもできる。
【０１０９】
これによって、戻り指示をイベントメッセージ又は特定の識別子を有するモジュールとして放送することができる。
また、データ放送装置において、前記放送手段は前記入手手段により前記優先番組データが入手された場合に前記関連データの放送を中断して代わりに空カルーセルを放送し当該優先番組データの放送が終了した場合に当該空カルーセルの代わりに当該関連データを放送し、前記戻り指示は受信機が前記関連データの代わりに放送されていた空カルーセルが受信されなくなった時に前記非関連データの再生をやめて前記関連データを再生する手順を当該受信機に指示するものであり、前記指示手段は前記優先番組データの放送が終了するのを待たずに前記戻り指示を前記放送手段に放送させ前記手順を受信機に予め指示しておくことを特徴とすることもできる。
【０１１０】
これによって、優先番組データの放送が終了するのを待たずに、空カルーセルを受信できなくなった時に非関連データの再生をやめて関連データを再生する手順を放送することができる。
従って、受信機においては、空カルーセルを受信できなくなったことを合図にして、視聴者への関連データの提供を即座に再開することができる。
【０１１１】
また、データ放送装置において、前記放送手段は前記入手手段により前記優先番組データが入手された場合に前記関連データの放送を中断し当該優先番組データの放送が終了した場合に当該関連データの放送を再開し、前記戻り指示は受信機が前記関連データの受信の再開を感知した時に前記非関連データの再生をやめて前記関連データを再生する手順を当該受信機に指示するものであり、前記指示手段は前記優先番組データの放送が終了するのを待たずに前記戻り指示を前記放送手段に放送させ前記手順を受信機に予め指示しておくことを特徴とすることもできる。
【０１１２】
これによって、優先番組データの放送が終了するのを待たずに、関連データの受信の再開を感知した時に非関連データの再生をやめて関連データを再生する手順を放送することができる。
従って、受信機においては、関連データの受信の再開を感知したことを合図にして、視聴者への関連データの提供を即座に再開することができる。
【０１１３】
本発明に係るデータ放送装置は、番組データを継続的に放送し受信機において受信後一旦メモリ上に取り込まれた後で再生される付加データを、カルーセル方式で繰り返し放送するデータ放送装置であって、定常的に放送すべき番組データである定常番組データと当該定常番組データに関連する付加データである関連データと当該定常データと関連しない付加データである非関連データとを記録している記録手段と、受信機において前記定常番組データよりも優先的に再生すべき優先番組データを入手する入手手段と、記録手段に記録されている定常番組データを継続的に放送し記録手段に記録されている関連データと、非関連データとを繰り返し放送し入手手段により前記優先番組データが入手された場合に当該定常番組データの放送を中断して代わりに当該優先番組データを放送する放送手段と、受信機に対して前記定常番組データの放送が中断した時に前記非関連データの再生中に当該非関連データの再生をやめて前記関連データを再生することを禁止する切り替え禁止指示を放送手段に放送させる指示手段とを備える。
【０１１４】
これによって、優先番組データを入手した場合に、定常番組データの放送を中断して、代わりに優先番組データを放送するだけでなく、受信機において非関連データの再生をやめて関連データを再生することを禁止する切り替え禁止指示を放送することができる。
従って、受信機においては、非関連データから関連データへの再生の切り替えを即座に禁止することができる。
【０１１５】
また、データ放送装置において、前記切り替え禁止指示は受信機が当該切り替え禁止指示を受信した時に当該受信機に前記関連データの再生を禁止するタイミングを指示するものであり、前記指示手段は前記入手手段により前記優先番組データが入手された時に前記切り替え禁止指示を前記放送手段に放送させ当該非関連データを再生中の受信機に前記タイミングを知らせることを特徴とすることもできる。
【０１１６】
これによって、優先番組データを入手した時に、関連データの再生を禁止するタイミングを受信機に知らせるための切り替え禁止指示を放送することができる。
従って、受信機においては、切り替え禁止指示を受信したことを合図にして、非関連データから関連データへの再生の切り替えを禁止することができる。
【０１１７】
また、データ放送装置において、前記指示手段は前記切り替え禁止指示をイベントメッセージ又は特定の識別子を有するモジュールとして前記放送手段に放送させることを特徴とすることもできる。
これによって、切り替え禁止指示をイベントメッセージ又は特定の識別子を有するモジュールとして放送することができる。
【０１１８】
また、データ放送装置において、前記放送手段は前記入手手段により前記優先番組データが入手された場合に前記関連データの放送を中断して代わりに空カルーセルを放送し、前記切り替え禁止指示は受信機が前記関連データの代わりに空カルーセルを受信した時に前記非関連データの再生中に当該非関連データの再生をやめて前記関連データを再生することを禁止する手順を当該受信機に指示するものであり、前記指示手段は前記入手手段により前記優先番組データが入手されるのを待たずに前記切り替え禁止指示を前記放送手段に放送させ前記手順を受信機に予め指示しておくことを特徴とすることもできる。
【０１１９】
これによって、優先番組データを入手するのを待たずに、空カルーセルを受信した時に非関連データの再生をやめて関連データを再生することを禁止する手順を放送することができる。
従って、受信機においては、空カルーセルを受信したことを合図にして、非関連データから関連データへの再生の切り替えを禁止することができる。
【０１２０】
また、データ放送装置において、前記放送手段は前記入手手段により前記優先番組データが入手された場合に前記関連データの放送を中断し、前記切り替え禁止指示は受信機が前記関連データの受信中に当該関連データの受信の中断を感知した時に前記非関連データの再生中に当該非関連データの再生をやめて前記関連データを再生することを禁止する手順を当該受信機に指示するものであり、前記指示手段は前記入手手段により前記優先番組データが入手されるのを待たずに前記切り替え禁止指示を前記放送手段に放送させ前記手順を受信機に予め指示しておくことを特徴とすることもできる。
【０１２１】
これによって、優先番組データを入手するのを待たずに、関連データの受信の中断を感知した時に非関連データの再生をやめて関連データを再生することを禁止する手順を放送することができる。
従って、受信機においては、関連データの受信の中断を感知したことを合図にして、非関連データから関連データへの再生の切り替えを禁止することができる。
【０１２２】
本発明に係るデータ放送プログラムは、受信機において受信後一旦メモリ上に取り込まれた後で再生される放送データをカルーセル方式で繰り返し放送するデータ放送プログラムであって、第１放送データ及び第２放送データを記録している記録装置を備えるコンピュータに、受信機において前記第１放送データの再生を禁止すべきであることを意味する禁止事象を検出する検出ステップと、記録装置に記録されている第１放送データと記録装置に記録されている第２放送データとを繰り返し放送し検出ステップにより前記禁止事象が検出された場合に当該第１放送データの放送を中断する放送ステップと、受信機に対して前記第１放送データの放送が中断した時に当該第１放送データの再生をやめさせて前記第２放送データを再生させる切り替え指示を放送ステップで放送させる指示ステップとを実行させることを特徴とする。
【０１２３】
本発明に係るデータ放送方法は、受信機において受信後一旦メモリ上に取り込まれた後で再生される放送データをカルーセル方式で繰り返し放送するデータ放送装置におけるデータ放送方法であって、前記データ放送装置は第１放送データ及び第２放送データを記録している記録手段を備え、受信機において前記第１放送データの再生を禁止すべきであることを意味する禁止事象を検出する検出ステップと、記録手段に記録されている第１放送データと記録手段に記録されている第２放送データとを繰り返し放送し検出ステップにより前記禁止事象が検出された場合に当該第１放送データの放送を中断する放送ステップと、受信機に対して前記第１放送データの放送が中断した時に当該第１放送データの再生をやめさせて前記第２放送データを再生させる切り替え指示を放送ステップで放送させる指示ステップとを含むことを特徴とする。
【０１２４】
これによって、禁止事象を入手した場合に第１放送データの放送を中断するだけでなく、受信機に第１放送データの再生をやめさせて第２放送データを再生させる切り替え指示を放送することができる。
従って、無意味な放送データを放送することなく、視聴者への第１放送データの提供を即座に停止することができる。
【０１２５】
また、データ放送プログラムにおいて、前記検出ステップでは前記禁止事象を検出した後に禁止を解除すべきであることを意味する解除事象を検出し、前記放送ステップでは前記検出ステップにより前記解除事象が検出された場合に前記第１放送データの放送を再開し、前記指示ステップでは、さらに、受信機に対して前記第１放送データの放送が再開された時に前記第２放送データの再生をやめさせて当該第１放送データを再生させる戻り指示を前記放送ステップで放送させることを特徴とすることもできる。
【０１２６】
また、データ放送方法において、前記検出ステップでは前記禁止事象を検出した後に禁止を解除すべきであることを意味する解除事象を検出し、前記放送ステップでは前記検出ステップにより前記解除事象が検出された場合に前記第１放送データの放送を再開し、前記指示ステップでは、さらに、受信機に対して前記第１放送データの放送が再開された時に前記第２放送データの再生をやめさせて当該第１放送データを再生させる戻り指示を前記放送ステップで放送させることを特徴とすることもできる。
【０１２７】
これによって、解除事象を入手した場合に第１放送データの放送を再開するだけでなく、受信機に第２放送データの再生をやめさせて第１放送データを再生させる戻り指示を放送することができる。
従って、受信機においては、視聴者への第１放送データの提供を即座に再開することができる。
【０１２８】
本発明に係るデータ放送プログラムは、受信機において受信後一旦メモリ上に取り込まれた後で再生される放送データをカルーセル方式で繰り返し放送するデータ放送プログラムであって、第１放送データ及び第２放送データを記録している記録装置を備えるコンピュータに、受信機において前記第１放送データの再生を禁止すべきであることを意味する禁止事象を検出する検出ステップと、記録装置に記録されている第１放送データと記録装置に記録されている第２放送データとを繰り返し放送し、検出ステップにより前記禁止事象が検出された場合に当該第１放送データの放送を中断する放送ステップと、受信機に対して前記第１放送データの放送が中断した時に前記第２放送データの再生中に当該第２放送データの再生をやめて前記第１放送データを再生することを禁止する切り替え禁止指示を放送ステップで放送させる指示ステップとを実行させることを特徴とする。
【０１２９】
本発明に係るデータ放送方法は、受信機において受信後一旦メモリ上に取り込まれた後で再生される放送データをカルーセル方式で繰り返し放送するデータ放送装置におけるデータ放送方法であって、前記データ放送装置は第１放送データ及び第２放送データを記録している記録手段を備え、受信機において前記第１放送データの再生を禁止すべきであることを意味する禁止事象を検出する検出ステップと、記録手段に記録されている第１放送データと記録手段に記録されている第２放送データとを繰り返し放送し、検出ステップにより前記禁止事象が検出された場合に当該第１放送データの放送を中断する放送ステップと、受信機に対して前記第１放送データの放送が中断した時に前記第２放送データの再生中に当該第２放送データの再生をやめて前記第１放送データを再生することを禁止する切り替え禁止指示を放送ステップで放送させる指示ステップとを含むことを特徴とする。
【０１３０】
これによって、禁止事象を入手した場合に第１放送データの放送を中断するだけでなく、受信機において第２放送データの再生中に第２放送データの再生をやめて第１放送データを再生することを禁止する切り替え禁止指示を放送することができる。
従って、受信機においては、第２放送データから第１放送データへの再生の切り替えを即座に禁止することができる。
【０１３１】
本発明に係るデータ放送プログラムは、番組データを継続的に放送し受信機において受信後一旦メモリ上に取り込まれた後で再生される付加データをカルーセル方式で繰り返し放送するデータ放送プログラムであって、定常的に放送すべき番組データである定常番組データと当該定常番組データに関連する付加データである関連データと当該定常データと関連しない付加データである非関連データとを記録している記録装置を備えるコンピュータに、受信機において前記定常番組データよりも優先的に再生すべき優先番組データを入手する入手ステップと、記録装置に記録されている定常番組データを継続的に放送し記録装置に記録されている関連データと非関連データとを繰り返し放送し、入手ステップにより前記優先番組データが入手された場合に当該定常番組データの放送を中断して代わりに当該優先番組データを放送する放送ステップと、受信機に対して前記定常番組データの放送が中断した時に前記関連データの再生をやめさせて前記非関連データを再生させる切り替え指示を放送ステップで放送させる指示ステップとを実行させることを特徴とする。
【０１３２】
本発明に係るデータ放送方法は、番組データを継続的に放送し受信機において受信後一旦メモリ上に取り込まれた後で再生される付加データをカルーセル方式で繰り返し放送するデータ放送装置におけるデータ放送方法であって、前記データ放送装置は定常的に放送すべき番組データである定常番組データと当該定常番組データに関連する付加データである関連データと当該定常データと関連しない付加データである非関連データとを記録している記録手段を備え、受信機において前記定常番組データよりも優先的に再生すべき優先番組データを入手する入手ステップと、記録手段に記録されている定常番組データを継続的に放送し記録手段に記録されている関連データと非関連データとを繰り返し放送し、入手ステップにより前記優先番組データが入手された場合に当該定常番組データの放送を中断して代わりに当該優先番組データを放送する放送ステップと、受信機に対して前記定常番組データの放送が中断した時に前記関連データの再生をやめさせて前記非関連データを再生させる切り替え指示を放送ステップで放送させる指示ステップとを含むことを特徴とする。
【０１３３】
これによって、優先番組データを入手した場合に、定常番組データの放送を中断して、代わりに優先番組データを放送するだけでなく、受信機に関連データの再生をやめさせて非関連データを再生させる切り替え指示を放送することができる。
従って、無意味な放送データを放送することなく、視聴者への関連データの提供を即座に停止することができる。
【０１３４】
また、データ放送プログラムにおいて、前記放送ステップでは前記優先番組データの放送が終了した場合に前記定常番組データの放送を再開し、前記指示ステップでは、さらに、受信機に対して前記定常番組データの放送が再開された時に前記非関連データの再生をやめさせて前記関連データを再生させる戻り指示を前記放送ステップで放送させることを特徴とすることもできる。
【０１３５】
また、データ放送方法において、前記放送ステップでは前記優先番組データの放送が終了した場合に前記定常番組データの放送を再開し、前記指示ステップでは、さらに、受信機に対して前記定常番組データの放送が再開された時に前記非関連データの再生をやめさせて前記関連データを再生させる戻り指示を前記放送ステップで放送させることを特徴とすることもできる。
【０１３６】
これによって、定常番組データの放送が再開された場合に、受信機に非関連データの再生をやめさせて関連データを再生させる戻り指示を放送することができる。
従って、受信機においては、視聴者への関連データの提供を即座に再開することができる。
【０１３７】
本発明に係るデータ放送プログラムは、番組データを継続的に放送し受信機において受信後一旦メモリ上に取り込まれた後で再生される付加データをカルーセル方式で繰り返し放送するデータ放送プログラムであって、定常的に放送すべき番組データである定常番組データと当該定常番組データに関連する付加データである関連データと当該定常データと関連しない付加データである非関連データとを記録している記録装置を備えるコンピュータに、受信機において前記定常番組データよりも優先的に再生すべき優先番組データを入手する入手ステップと、記録装置に記録されている定常番組データを継続的に放送し記録装置に記録されている関連データと非関連データとを繰り返し放送し、入手ステップにより前記優先番組データが入手された場合に当該定常番組データの放送を中断して代わりに当該優先番組データを放送する放送ステップと、受信機に対して前記定常番組データの放送が中断した時に前記非関連データの再生中に当該非関連データの再生をやめて前記関連データを再生することを禁止する切り替え禁止指示を放送ステップで放送させる指示ステップとを実行させることを特徴とする。
【０１３８】
本発明に係るデータ放送方法は、番組データを継続的に放送し受信機において受信後一旦メモリ上に取り込まれた後で再生される付加データをカルーセル方式で繰り返し放送するデータ放送装置におけるデータ放送方法であって、前記データ放送装置は定常的に放送すべき番組データである定常番組データと当該定常番組データに関連する付加データである関連データと当該定常データと関連しない付加データである非関連データとを記録している記録手段を備え、受信機において前記定常番組データよりも優先的に再生すべき優先番組データを入手する入手ステップと、記録手段に記録されている定常番組データを継続的に放送し記録手段に記録されている関連データと非関連データとを繰り返し放送し入手ステップにより前記優先番組データが入手された場合に当該定常番組データの放送を中断して代わりに当該優先番組データを放送する放送ステップと、受信機に対して前記定常番組データの放送が中断した時に前記非関連データの再生中に当該非関連データの再生をやめて前記関連データを再生することを禁止する切り替え禁止指示を放送ステップで放送させる指示ステップとを含むことを特徴とする。
【０１３９】
これによって、優先番組データを入手した場合に、定常番組データの放送を中断して、代わりに優先番組データを放送するだけでなく、受信機において非関連データの再生をやめて関連データを再生することを禁止する切り替え禁止指示を放送することができる。
従って、受信機においては、非関連データから関連データへの再生の切り替えを即座に禁止することができる。
【図面の簡単な説明】
【図１】実施の形態１に係る放送システムの構成を示す図である。
【図２】ＡＶデータ保持部１０１に保持されるＡＶデータの一例を示す図である。
【図３】緊急用ＡＶデータ入手部１０２により入手される緊急用ＡＶデータの一例を示す図である。
【図４】付加データ保持部１０３に保持される付加データの一例を示す図である。
【図５】付加データ保持部１０３に保持される付加データの一例を示す図である。
【図６】本発明の実施の形態１の放送装置１００における送信動作の一例を示す図である。
【図７】本発明の実施の形態１の放送装置１００が出力するデータストリームの具体例を示す図である。
【図８】受信装置１１０が図７に示したようなデータストリーム７００を受信した際に、テレビ１１１に表示される画面の遷移の具体例を示した図である。
【図９】空カルーセルを利用した場合の放送装置が出力するデータストリームの具体例を示す図である。
【図１０】切り替えだけに空カルーセルを利用した場合の放送装置が出力するデータストリームの具体例を示す図である。
【符号の説明】
１００    放送装置
１０１    ＡＶデータ保持部
１０２    緊急用ＡＶデータ入手部
１０３    付加データ保持部
１０４    編成情報管理部
１０５    送出制御部
１０６    ＡＶ送出部
１０７    付加データ送出部
１０８    イベントメッセージ送出部
１０９    多重化部
【図１】
0004691264.tif 000002
【図２】
0004691264.tif 000003
【図３】
0004691264.tif 000004
【図４】
0004691264.tif 000005
【図５】
0004691264.tif 000006
【図６】
0004691264.tif 000007
【図７】
0004691264.tif 000008
【図８】
0004691264.tif 000009
【図９】
0004691264.tif 000010
【図１０】
0004691264.tif 000011